(57)【要約】【課題】ユーザが所望の書籍の検索条件を登録し、システムが書籍情報を検索して候補書籍リストを提示することによって、ユーザ自身が所望する書籍を探すことを不要にする書籍購入システムにある。【解決手段】ユーザが書籍検索条件を入力する会員端末１０と、書籍情報を登録する書店端末２０と、既刊や新刊の書籍情報を登録する出版社端末３０と、決済をする金融機関システム４０と、書籍配送する配送業者の配送業者端末５０と、書籍情報リストを会員に提示する書籍購入仲介システム６０と、を備え、書籍購入仲介システム６０は、会員情報と、書籍検索条件と、書籍情報と、を登録するデータベース６７と、会員登録部６２と、書籍検索条件で書籍情報を検索し、候補書籍リストを提示する書籍探索部６８と、購入書籍の決済及び配送を手配する情報配信部６６と、ネットワークに接続する通信処理部６１と、を備える。【選択図】      図１
2004178076.tif 000002
【特許請求の範囲】
【請求項１】
ウェブサイトのホームページで書籍情報から所望の書籍を捜して注文する書籍購入システムにおいて、
会員登録したユーザが書籍検索条件を入力登録する会員端末と、販売する新本あるいは古本の書籍情報を入力登録する書店端末と、既刊あるいは新刊の書籍情報を入力登録する出版社端末と、購入書籍の決済をする金融機関システムと、書店あるいは出版社からユーザに購入書籍を配達する業者の配送業者端末と、ユーザが所望する書籍の検索条件に基づいて、候補書籍リストを出力提示する書籍購入仲介システムと、を備え、
前記書籍購入仲介システムは、
前記会員情報と、前記書籍検索条件と、前記書籍情報と、を登録するデータベースと、
会員情報を登録する会員登録部と、
前記書籍検索条件に基づいて、前記書籍情報を検索し、候補書籍リストを前記会員端末に出力提示する書籍探索部と、
ユーザが前記候補書籍リストから選択した購入書籍の決済及び配送を手配する情報配信部と、
前記書籍購入仲介システムをネットワークに接続する通信処理部と、
を備えることを特徴とする書籍購入システム。
【請求項２】
前記書籍探索部は、
ユーザが所望する書籍の検索条件を前記データベースに登録する検索条件登録部と、
書店及び出版社が販売する書籍の書籍情報を前記データベースに登録する書籍情報登録部と、
前記検索条件に基づいて、前記書籍情報を検索し、該当書籍の候補書籍リストを出力する検索部と、
を含むことを特徴とする請求項１記載の書籍購入システム。
【請求項３】
前記情報配信部は、
前記データベースの会員情報を参照し、ユーザが前記候補書籍リストから選択した購入書籍の振替依頼通知を金融機関システムに、前記購入書籍の発送手配依頼通知を前記書籍販売端末あるいは前記出版社端末並びに配送業者に、それぞれ送信することを特徴とする請求項１記載の書籍購入システム。
【請求項４】
前記会員情報は、
ユーザ自身の個人情報と、決済用の金融機関及び口座番号並びにクレジット情報と、購入書籍の配達先情報と、を含むことを特徴とする請求項１記載の書籍購入システム。
【請求項５】
前記書籍検索条件は、
ユーザが購入を目論む書籍の書名及び著者並びにジャンルの内の少なくとも２つを含む書誌情報と、購入価格情報と、支払方法と、書籍の受け取り方法と、を含むことを特徴とする請求項１記載の書籍購入システム。
【請求項６】
前記書籍情報は、
書籍の書誌情報及び概要情報と、価格情報と、を含むことを特徴とする請求項１記載の書籍購入システム。
【請求項７】
前記検索部は、
前記書誌情報の、書名と、著者と、ジャンルと、の内、２つ以上の一致によって、検索されることを特徴とする請求項２記載の書籍購入システム。
【発明の詳細な説明】
【０００１】
【発明の属する技術分野】
この発明は、書籍購入システムに関し、特に、書籍購入の際に、ユーザ自身が書籍情報を閲覧あるいは検索することによって、所望の書籍を探すことを不要にする書籍購入システムに関する。
【０００２】
【従来の技術】
従来のネットワークを利用した書籍購入システムは、ユーザがシステムを介して所望の書籍を探索し、購入するものが通常で、ユーザ自身がシステムを操作して、書籍を探す必要があった。例えば、ユーザが書店で所望の書籍を探す作業を、ウェブサイトのホームページで書籍情報を閲覧することに置き換えて所望の書籍を注文し、電子化書籍の送付を受けるシステムが説明されている。このシステムでは、ユーザ自身がホームページで所望の書籍を閲覧して探す点において、ユーザ自身の探索能力や時間に依存する従来の書籍購入の仕方に変わらない（例えば、特許文献１参照。）
【特許文献１】
特開２００２−９２４０８号公報（請求項１及び図１）
【０００３】
【発明が解決しようとする課題】
所望の書籍を購入しようとすると、先ず、所望の書籍が刊行されているか否か、刊行されているとすればどこに存在するのか、またその価格はいくらか、等のことをユーザ自身が調べなければならないのが通常である。新刊や既刊の書籍、古本などの絶版の書籍を探すことは、普通のユーザにとって、面倒な仕事である。そこで、一般のユーザは、本屋に問い合わせる、図書館に聞く、などによって書籍を探す。この書籍を探す労力を軽減するため、ネットワークを通じて、オンライン書店やホームページに書籍情報を展示し、それをユーザが閲覧して注文するシステムが、従来技術に開示されている。しかし、これらの従来システムでは、ユーザ自身がシステム上で所望の書籍を探す作業を自身が実施するのであるから、容易化の点では不十分である。
【０００４】
所望の書籍を探す仕方は、小説等の一般書、あるいは学術書などの専門書を通じて、書誌情報で探すのが通常である。しかし、一般ユーザが完全な書誌情報を知っていることは、まずないといってよい。そこで、書誌情報の項目のうちで、ユーザが入力した最小限の２項目で書籍情報を検索し、該当する候補書籍リストを出力し、最終的な書籍選定は、ユーザ自身が概要を判定して、購入を決定する仕方が、書籍購入を的確にする。
【０００５】
この発明の目的は、ユーザが所望の書籍の検索条件を登録することによって、業者が登録した書籍情報を検索し、候補書籍リストを提示することによって、ユーザ自身が所望の書籍を探す作業を不要にすることにある。
【０００６】
更に、他の目的は、ユーザが知り得る書誌項目を入力して、書籍を検索し、候補書籍リストを提供して、ユーザが書籍の概要を閲覧して、所望の書籍を選択する、書籍購入の的確化と容易化とにある。
【０００７】
【課題を解決するための手段】
そのため、この発明の、ウェブサイトのホームページで書籍情報から所望の書籍を捜して注文する書籍購入システムにおいて、会員登録したユーザが書籍検索条件を入力登録する会員端末と、販売する新本あるいは古本の書籍情報を入力登録する書店端末と、既刊あるいは新刊の書籍情報を入力登録する出版社端末と、購入書籍の決済をする金融機関システムと、書店あるいは出版社からユーザに購入書籍を配達する業者の配送業者端末と、ユーザが所望する書籍の検索条件に基づいて、候補書籍リストを出力提示する書籍購入仲介システムと、を備え、前記書籍購入仲介システムは、前記会員情報と、前記書籍検索条件と、前記書籍情報と、を登録するデータベースと、会員情報を登録する会員登録部と、前記書籍検索条件に基づいて、前記書籍情報を検索し、候補書籍リストを前記会員端末に出力提示する書籍探索部と、ユーザが前記候補書籍リストから選択した購入書籍の決済及び配送を手配する情報配信部と、前記書籍購入仲介システムをネットワークに接続する通信処理部と、を備えることを特徴とする。
【０００８】
更に、前記書籍探索部は、ユーザが所望する書籍の検索条件を前記データベースに登録する検索条件登録部と、書店及び出版社が販売する書籍の書籍情報を前記データベースに登録する書籍情報登録部と、前記検索条件に基づいて、前記書籍情報を検索し、該当書籍の候補書籍リストを出力する検索部と、を含むことを特徴とする。
【０００９】
更に、前記情報配信部は、前記データベースの会員情報を参照し、ユーザが前記候補書籍リストから選択した購入書籍の振替依頼通知を金融機関システムに、前記購入書籍の発送手配依頼通知を前記書籍販売端末あるいは前記出版社端末並びに配送業者に、それぞれ送信することを特徴とする。
【００１０】
更に、前記会員情報は、ユーザ自身の個人情報と、決済用の金融機関及び口座番号並びにクレジット情報と、購入書籍の配達先情報と、を含むことを特徴とする。
【００１１】
更に、前記書籍検索条件は、ユーザが購入を目論む書籍の書名及び著者並びにジャンルの内の少なくとも２つを含む書誌情報と、購入価格情報と、支払方法と、書籍の受け取り方法と、を含むことを特徴とする。
【００１２】
更に、前記書籍情報は、書籍の書誌情報及び概要情報と、価格情報と、を含むことを特徴とする。
【００１３】
更に、前記検索部は、前記書誌情報の、書名と、著者と、ジャンルと、の内、２つ以上の一致によって、検索されることを特徴とする。
【００１４】
【発明の実施の形態】
この発明の実施の形態について、図面を参照して説明する。この発明の実施の形態を示す図１を参照すると、書籍購入システム１は、会員登録した書籍購入希望者が使用する会員端末１０と、書店等が使用する書店端末３０と、出版社が使用する出版社端末３０と、決済をする銀行等の金融機関システム４０と、書籍を書店や出版社から購入者の会員に配達する配送業者端末５０と、会員が探している書籍を検索して探す書籍購入仲介システム６０と、インターネットを構成するネットワーク１００と、を備える。
【００１５】
書籍購入仲介システム６０は、ネットワーク１００を接続し、送受データを振り分け処理する通信処理部６１と、会員登録を処理する会員登録部６２と、ユーザに代わり書籍を探す書籍探索部６８と、金融機関システム４０及び配送業者端末５０に決済及び配送の指示を通知する情報配信部６６と、会員情報，書籍検索条件，書籍情報を登録蓄積するデータベース６７と、を備える。
【００１６】
書籍探索部６８は、会員が探索する書籍の書籍検索条件を登録する検索条件登録部６３と、書店及び出版社が販売する書籍情報を登録する書籍情報登録部６４と、書籍検索条件によって、書籍情報を検索する検索部６５と、を含む。
【００１７】
会員端末１０は、複数の端末群からなり、書籍購入仲介システム６０を利用して、所望の書籍購入を目論む会員が利用する端末で、ネットワーク１００にＥメールの送受信する手段を有している。
【００１８】
書店端末２０は、書籍購入仲介システム６０に、販売する書籍情報の登録と、書籍の発送手配と、を送受信する端末群であり、会員が書籍を購入する場合に、購入書籍の発送指示を受信する、また販売する新本あるいは古本の書籍情報を登録送信する、手段を有している。
【００１９】
出版社端末３０は、書籍購入仲介システム６０に対して書籍出版情報を提供する端末群であり、書籍購入仲介システム６０内における書籍情報登録部６４を介してデータベース６７に、既刊本，新刊本，絶版本の書籍情報を登録する手段を有している。
【００２０】
金融機関システム４０は、会員が口座を開設している金融機関のシステムで、書籍購入仲介システム６０が通知する振替通知によって書籍購入代金を会員口座から引き落とす手段を有する。
【００２１】
配送業者端末５０は書籍購入仲介システム６０より、会員の購入書籍の配達依頼指示を受信する手段を有している。
【００２２】
次に、この実施の形態例の動作を図２を参照して説明する。書籍購入希望者は、自身の会員端末１０から書籍購入仲介システム６０にアクセスし、図３に例示する会員登録画面１１に所要の会員情報を入力する。その際に、金融機関で決済する場合は、口座あるいはクレジットの番号を入力し、個人情報１１１と併せて送信する。該会員情報を受信した会員登録部６２は、データベース６７に該情報を登録する（図２のステップ６０１）。
【００２３】
書籍購入希望者は、書籍購入を目論むとき、会員端末１０から、図４の書籍検索条件登録画面１２に例示する所要の書誌情報１２１による検索条件を書籍購入仲介システム６０に送信する。書籍探索部６８の検索条件登録部６３は、該検索条件を受信して、データベース６７に登録する（ステップ６０２）。
【００２４】
一方、書店や出版社等の業者は、書店端末２０あるいは出版社端末３０を通じて、図５に例示する書籍情報登録画面１３の書籍情報１３１に書誌情報と概要を入力して、書籍購入仲介システム６０に送信し、書籍探索部６８の検索条件登録部６３がデータベース６７に登録する。その際に、必要ならば書籍の外観、寸法のファイルを添付することができる（ステップ６０３，ステップ６０４）。
【００２５】
書籍探索部６８の検索部６５は、検索条件に基づいて、データベース６７の書籍情報を検索する。検索は、検索条件に含まれる書誌情報で実施され、書名と、著者とジャンルの少なくとも２項目以上が一致する書籍が検索され、候補書籍リストが会員端末１０に送信される。候補書籍リストは、図６に例示する候補書籍情報画面１４を候補数に応じたページ数で会員端末１０に出力する。該候補書籍情報には、候補書籍の外観、寸法情報を含んでいる（ステップ１０１）。
【００２６】
書籍購入希望者は、会員端末１０で候補書籍リストから候補書籍の概要をチェックし、また、要すれば、外観情報をボタン１４３によってチェックし、目的の書籍を選択して配達・決済の方法を候補書籍情報画面１４のボタン１４１で指定して購入通知を書籍購入仲介システム６０に送信する（ステップ１０２）。
【００２７】
購入通知を受けた書籍購入仲介システム６０の情報配信部６６は、該当書籍の登録元である業者の書店端末２０あるいは出版社端末３０に該書籍の配達業者情報を含む発送手配依頼を送信する。発送依頼手配は、図７に例示する発送手配依頼画面１５に含まれる項目が書店端末２０あるいは出版社端末３０に送信される。金融機関システム４０には、図８に例示する書籍購入者の振替依頼通知が送信される（ステップ６０６）。
【００２８】
購入通知を受けた書籍購入仲介システム６０は、図９に例示する発送手配依頼通知画面１７を書店端末２０あるいは出版社端末３０に送信する。該発送手配依頼通知１７には、書籍購入希望者が書店あるいは配達による書籍入手方法指定が含まれる。書店端末２０及び出版社端末３０において、該書籍入手方法指定に応じた発送手配を行う（ステップ２０１，３０１）。
【００２９】
金融機関システム４０に送付される振替依頼通知には、図８に例示する振替依頼通知画面１６の項目が含まれる。金融機関は該振替依頼通知に応じた引き落とし処理を実施する（ステップ４０１）。
【００３０】
配送業者端末５０に送付される商品配達依頼には、図９に例示する商品配達依頼通知画面１７の項目が含まれる。該商品配達依頼には、書籍購入希望者が指定する書籍入手方法に応じた、集荷先と配達先とが含まれる。配送業者は該商品配達依頼によって、書籍の配達手配を行う（ステップ５０１）。
【００３１】
【発明の効果】
この発明の効果は、書籍購入希望者が、自身の端末から購入を目論む書籍の検索条件を登録するだけで、所望の書籍が入手できることである。その理由は、書籍購入仲介システムがデータベースに登録されている書籍情報を検索し、候補書籍リストを会員端末に送付し、書籍購入希望者が選択できるからである。
【００３２】
更に、他の効果は、書籍購入希望者は、新本、古本を含む既刊書、新刊書、絶版書について、自身が調査し、書籍を探す労力を省くことができることである。その理由は、書籍販売業者及び出版社が販売する書籍情報をデータベースの登録し、検索可能にして提供するからである。
【００３３】
更に、他の効果は、書籍購入希望者は、購入しようとする書籍の完全な書誌情報を知らない場合でも、該当書籍の入手ができることである。その理由は、書籍購入仲介システムが、書誌情報に基づいて、少なくとも２つの書誌情報項目が一致する候補書籍リストを検索出力し、提供するからである。
【図面の簡単な説明】
【図１】この発明の実施の形態を示す図である。
【図２】この実施の形態の動作を示す図である。
【図３】会員情報登録画面を例示する図である。
【図４】書籍検索条件登録画面を例示する図である。
【図５】書籍情報登録画面を例示する図である。
【図６】候補書籍情報画面を例示する図である。
【図７】発送手配依頼画面を例示する図である。
【図８】振替依頼通知画面を例示する図である。
【図９】商品配達依頼通知画面を例示する図である。
【符号の説明】
１    書籍購入システム
１０    会員端末
２０    書店端末
３０    出版社端末
４０    金融機関システム
５０    配送業者端末
６０    書籍購入仲介システム
６１    通信処理部
６２    会員登録部
６３    検索条件登録部
６４    書籍情報登録部
６５    検索部
６６    情報配信部
６７    データベース
６８    書籍探索部
【図１】
2004178076.tif 000003
【図２】
2004178076.tif 000004
【図３】
2004178076.tif 000005
【図４】
2004178076.tif 000006
【図５】
2004178076.tif 000007
【図６】
2004178076.tif 000008
【図７】
2004178076.tif 000009
【図８】
2004178076.tif 000010
【図９】
2004178076.tif 000011